(57)【要約】【課題】容易に且つ安全にフィルタの掃除を行うことができるオーバーヘッドシャワー装置を提供する。【解決手段】本発明は、壁面に固定され上方から水を吐水するオーバーヘッドシャワー装置(1)であって、複数の散水孔(12)が形成された吐水ヘッド(2)と、吐水ヘッドを壁面(W)に固定支持するとともに、給水源から供給された水が通水する通水路を内部に有する支持部(4)と、給水源から供給され、吐水ヘッドへ向かう水をろ過するフィルタ(20)と、このフィルタが収納されたフィルタ収納部(22)と、を備え、フィルタ収納部は、支持部の基端部に設けられていると共に、支持部によって吐水ヘッドが固定支持されている状態でフィルタがフィルタ収納部から着脱可能に構成されていることを特徴としている。【選択図】図３
2018139697.tif 000002
【特許請求の範囲】
【請求項１】
壁面に固定され上方から水を吐水するオーバーヘッドシャワー装置であって、
複数の散水孔が形成された吐水ヘッドと、
上記吐水ヘッドを壁面に固定支持するとともに、給水源から供給された水が通水する通水路を内部に有する支持部と、
上記給水源から供給され、上記吐水ヘッドへ向かう水をろ過するフィルタと、
このフィルタが収納されたフィルタ収納部と、
を備え、
上記フィルタ収納部は、上記支持部の基端部に設けられていると共に、上記支持部によって上記吐水ヘッドが固定支持されている状態で上記フィルタが上記フィルタ収納部から着脱可能となるように構成されていることを特徴とするオーバーヘッドシャワー装置。
【請求項２】
上記フィルタ収納部は、上記壁面に形成された壁面開口の内部に設けられていることを特徴とする請求項１記載のオーバーヘッドシャワー装置。
【請求項３】
さらに、上記壁面に形成された壁面開口を覆うカバーを備えることを特徴とする請求項２記載のオーバーヘッドシャワー装置。
【請求項４】
上記カバーには、貫通孔が形成されており、上記支持部は、上記貫通孔に貫通しているものであって、上記貫通孔は、上記カバーが上記吐水ヘッドを越えて脱落しない寸法形状であることを特徴とする請求項３記載のオーバーヘッドシャワー装置。
【請求項５】
上記フィルタ収納部は、収納している上記フィルタを外部から着脱可能にするように、上記フィルタ収納部の外部に露出した着脱口を有しており、
上記着脱口は、上記壁面開口に向かって開口していることを特徴とする請求項３または請求項４記載のオーバーヘッドシャワー装置。
【請求項６】
上記フィルタ収納部は、上記支持部に対して傾斜した方向から上記着脱口を介して、上記フィルタを着脱可能に構成されていることを特徴とする請求項５記載のオーバーヘッドシャワー装置。
【請求項７】
さらに、上記フィルタを保持するフィルタ保持部材を備え、上記フィルタを上記フィルタ保持部材に取り付けることにより、フィルタユニットが構成されており、上記フィルタ保持部材は、上記フィルタユニットを上記フィルタ収納部から着脱するための把持部を備えていることを特徴とする請求項２乃至請求項６のいずれか一項に記載のオーバーヘッドシャワー装置。
【発明の詳細な説明】
【技術分野】
【０００１】
本発明は、オーバーヘッドシャワー装置に関し、特に、壁面に固定され上方から水を吐水するオーバーヘッドシャワー装置に関する。
【背景技術】
【０００２】
従来、シャワー装置には散水ノズルにゴミなどが詰まり、吐水の状態が不安定になることを防止するために、吐水される水をろ過するためのフィルタが内蔵されている。このようなフィルタは、定期的に掃除をすることでフィルタに溜まったゴミなどを取り除くために、シャワー装置から着脱できることが求められる。
【０００３】
特開２０００−１１６５６２（特許文献１）記載のハンドシャワー装置においては、ヘッド本体（吐水ヘッド）にフィルタが内蔵されている。このシャワーヘッド装置では、フィルタに溜まったゴミなどを取り除く場合において、ヘッド本体（吐水ヘッド）と柄部（支持部）を分割してフィルタを取り外し、溜まったゴミなどを取り除いている。
【先行技術文献】
【特許文献】
【０００４】
【特許文献１】特開２０００−１１６５６２号公報
【発明の概要】
【発明が解決しようとする課題】
【０００５】
しかしながら、特許文献１の構成を、オーバーヘッドシャワー装置に適用した場合、吐水ヘッドが例えば使用者の頭部よりも高い位置に固定されているため、フィルタを掃除する際に吐水ヘッドと支持部を分解することが困難である。また、オーバーヘッドシャワー装置用の吐水ヘッドは比較的大きく重たいため、吐水ヘッドを支持部より取り外すことは重労働である。
【０００６】
さらには、支持部から取り外す際に、吐水ヘッドそのものを誤って落下させたり、一度取り外した吐水ヘッドの固定が不十分で使用中に落下してしまうおそれがあった。吐水ヘッドは高い位置に固定されており比較的大きく重たい為、自由落下によって破損したり、シャワー室の床面等を傷つけてしてしまうおそれがあり、改善の余地があった。
【０００７】
本発明は、上記課題を解決するためになされたものであり、容易に且つ安全にフィルタの掃除を行うことができるオーバーヘッドシャワー装置を提供することを目的としている。
【課題を解決するための手段】
【０００８】
上記目的を達成するために本発明は、壁面に固定され上方から水を吐水するオーバーヘッドシャワー装置であって、複数の散水孔が形成された吐水ヘッドと、吐水ヘッドを壁面に固定支持するとともに、給水源から供給された水が通水する通水路を内部に有する支持部と、給水源から供給され、吐水ヘッドへ向かう水をろ過するフィルタと、このフィルタが収納されたフィルタ収納部と、を備え、フィルタ収納部は、支持部の基端部に設けられていると共に、支持部によって吐水ヘッドが固定支持されている状態でフィルタがフィルタ収納部から着脱可能となるように構成されていることを特徴としている。
【０００９】
このように構成された本発明によれば、フィルタ収納部が支持部の基端部に設けられていると共に、支持部によって吐水ヘッドが固定支持されている状態でフィルタがフィルタ収納部から着脱可能となるように構成されている。このため、フィルタをフィルタ収納部から取り外して掃除する際に、吐水ヘッドを支持部から取り外したり、吐水ヘッド自体を分解したりする必要がなく、吐水ヘッドを分解した際の吐水ヘッドの落下や、不十分な取付によって吐水ヘッドが落下しやすくなることを抑制することができる。
従って、容易且つ安全にオーバーヘッドシャワー装置のフィルタの掃除を行うことができる。
【００１０】
本発明において、好ましくは、フィルタ収納部は、壁面に形成された壁面開口の内部に設けられている。
【００１１】
このように構成された本発明によれば、フィルタが収納されているフィルタ収納部が、壁面に形成された壁面開口の内部に設けられているため、フィルタ収納部が壁面の外部に露出しておらず使用者の視野に入りづらいとともに、フィルタ収納部を隠ぺいするために壁面の外部に突出したケースなどを設ける必要がなく、意匠性が向上する。また、フィルタ収納部が、壁面に形成された壁面開口の内部に設けられているため、オーバーヘッドシャワー装置の露出部分にフィルタを着脱するための開口等を設ける必要がなく、意匠性が向上する。
【００１２】
本発明において、好ましくは、さらに、壁面に形成された壁面開口を覆うカバーを備える。
【００１３】
このように構成された本発明によれば、壁面開口を覆うカバーを備えているので、壁面開口の内部に設けられているフィルタ収納部が使用者から視認できず、より意匠性を向上させることができるとともに、メンテナンス時にはカバーを取り外すという簡易な作業でフィルタの掃除を行うことができる。
【００１４】
本発明において、好ましくは、カバーには、貫通孔が形成されており、支持部は、貫通孔に貫通しているものであって、貫通孔は、カバーが吐水ヘッドを越えて脱落しない寸法形状である。
【００１５】
このように構成された本発明によれば、壁面に形成された壁面開口からカバーを取り外した場合でも、カバーが吐水ヘッドを越えて脱落することがないため、カバーがオーバーヘッドシャワー装置から落下することを防止することができ、メンテナンス時の作業性が向上する。
【００１６】
本発明において、好ましくは、フィルタ収納部は、収納しているフィルタを外部から着脱可能にするように、フィルタ収納部の外部に露出した着脱口を有しており、着脱口は、壁面開口に向かって開口している。
【００１７】
このように構成された本発明によれば、着脱口が壁面に形成された壁面開口に向かっているため、壁面の内部にフィルタが配置されている場合であっても、メンテナンス者が着脱口を視認することができ、フィルタの着脱を容易に行うことができる。
【００１８】
本発明において、好ましくは、フィルタ収納部は、支持部に対して傾斜した方向から着脱口を介して、フィルタを着脱可能に構成されている。
【００１９】
このように構成された本発明によれば、フィルタ収納部は着脱口を介して、フィルタを支持部に対して傾斜した方向から着脱可能に構成されているため、壁面に形成された壁面開口が小さい場合であっても、メンテナンス者がフィルタをフィルタ収納部から着脱する際に、支持部への干渉を避けながら作業を行うことができ、よりフィルタの着脱を容易に行うことができる。
【００２０】
本発明において、好ましくは、さらに、フィルタを保持するフィルタ保持部材を備え、フィルタをフィルタ保持部材に取り付けることにより、フィルタユニットが構成されており、フィルタ保持部材は、フィルタユニットをフィルタ収納部から着脱するための把持部を備えている。
【００２１】
このように構成された本発明によれば、フィルタがフィルタ保持部材に保持され、フィルタユニットを構成しているので、壁面の内部にフィルタが配置されていても、フィルタ保持部材の把持部を操作することで一体的に着脱することが出来、容易にフィルタの着脱を行うことができる。
【発明の効果】
【００２２】
本発明によれば、フィルタをフィルタ収納部から着脱する際に、吐水ヘッドを支持部から取り外したり、吐水ヘッド自体を分解したりする必要がなく、吐水ヘッドを分解した際の部品や吐水ヘッド自体の落下を抑制することができる。
従って、容易且つ安全にオーバーヘッドシャワー装置のフィルタの掃除を行うことができる。
【図面の簡単な説明】
【００２３】
【図１】本発明の実施形態のオーバーヘッドシャワー装置を備えたシャワー室を示した説明図である。
【図２】本発明の実施形態のオーバーヘッドシャワー装置を図１中のII−II線に沿って切断した部分断面図である。
【図３】本発明の実施形態のオーバーヘッドシャワー装置における支持部とフィルタ収納部を示した分解斜視図である。
【図４】本発明の実施形態のオーバーヘッドシャワー装置におけるフィルタ収納部を示した斜視図である。
【図５】本発明の実施形態のオーバーヘッドシャワー装置を図３中のV−V線に沿って切断した部分断面図である。
【図６】本発明の実施形態のオーバーヘッドシャワー装置を図３中のVI−VI線に沿って切断した部分断面図である。
【発明を実施するための形態】
【００２４】
以下、本発明の実施の形態について図面を参照しつつ説明する。
はじめに、図１及び図２にて本発明の実施形態におけるオーバーヘッドシャワー装置１の全体構成について以下に説明する。
【００２５】
図１は本発明の実施形態のオーバーヘッドシャワー装置を設置したシャワー室を示した説明図である。図２は、本発明の実施形態のオーバーヘッドシャワー装置を図１中のII−II線に沿って切断した部分断面図である。図３は、本発明の実施形態における支持部と給水部材を示した分解斜視図である。
【００２６】
オーバーヘッドシャワー装置１は使用者に対して上方から吐水を行うオーバーヘッドシャワーであり、シャワー室の壁面Ｗ（以下、シャワー室の壁面を「壁面」と称する。）に固定されている。
【００２７】
オーバーヘッドシャワー装置１は、シャワーヘッド２と、シャワーヘッド２を壁面Ｗに固定支持している支持部４と、を備えている。本実施形態のオーバーヘッドシャワー装置１においては、使用者が壁面Ｗに設けられた操作ハンドル３２を操作することにより、シャワーヘッド２の下面に設けられたシャワー吐水孔１２（図２）からのシャワー吐水を行うことができる。なお、本実施形態において、水とは湯、湯と水を混合した適温水などを含む。
【００２８】
図１に示すようにシャワーヘッド２は、円盤状の円盤部６と、円盤部６上面の中心部から上方に延びる円柱状の円柱部８と、を有している。
円盤部６の下面には、中心に整流吐水を行うための整流吐水孔１０が形成され、その周囲にシャワー吐水を行うための複数の散水孔であるシャワー吐水孔１２が形成されている（図２）。
【００２９】
図２に示すように、シャワーヘッド２の円柱部８の内部には概ね円柱形の金属製の通水路形成部材２４が内蔵されている。この通水路形成部材２４の内部には、支持部４を介して供給された水を整流吐水孔１０へ導くための整流用通水路２４ａ、及び各シャワー吐水孔１２へ導くためのシャワー用通水路２４ｂが夫々形成されている。また、通水路形成部材２４の側面には、支持部４の内側に挿通された整流用配管１６及びシャワー用配管１８（図３）を夫々接続するための接続部２４ｃが設けられている。
【００３０】
シャワーヘッド２の円盤部６の内部には、薄いドーナツ板状の通水路形成板２６及び薄い円板状のシリコン製の散水ノズル形成部材２８が内蔵されている。
整流用通水路２４ａによって導かれた水は、通水路形成板２６中央の開口を貫通して延びる通路を通って、円盤部６下面中央の整流吐水孔１０へ導かれる。
【００３１】
散水ノズル形成部材２８は円板状のシリコン製の部材であり、その下面には切頭円錐形状に形成された複数の散水ノズル３０が下方に向けて突出するように形成されている。各散水ノズル３０先端の開口がシャワー吐水孔１２として機能する。散水ノズル形成部材２８は、円盤部６の中に、通水路形成板２６と平行に延びるように配置されている。シャワー用通水路２４ｂを介して導かれた水は、散水ノズル形成部材２８と通水路形成板２６の間の空間に流入し、散水ノズル形成部材２８に設けられた各散水ノズル３０のシャワー吐水孔１２から吐水される。
【００３２】
図２及び図３に示すように、支持部４は、長方形断面の筒状の部材であり、給水源である建物内の配管（図示せず）から供給されてきた水をシャワーヘッド２へ向けて通水させるための通水路である整流用配管１６及びシャワー用配管１８が内部に配置されている。
【００３３】
支持部４の先端は、シャワーヘッド２の円柱部８の側面に挿入されており、シャワーヘッド２と支持部４は、固定ねじ（図示せず）によって結合されている。
支持部４の基端は、壁面Ｗに円状に形成された壁面開口Ｃの中へ延び、フィルタ収納部である給水部材２２にねじ（図示せず）によって結合されている。
【００３４】
給水部材２２は、建築物の構造躯体Ｓに固定される金属製の部材であり、整流用配管１６及びシャワー用配管１８へ流入させる水をろ過するフィルタ２０（図４）を内部に収納するように構成されている。また、給水部材２２の内部には、建物内の配管から供給された水を整流用配管１６及びシャワー用配管１８へ導く通水路が形成されている。給水部材２２に関する詳細な説明は後述する。
なお、本実施形態では、給水部材２２は支持部４と別体で構成され、支持部４の基端部に設けられているが、給水部材２２を支持部４と一体で構成してもよい。
【００３５】
図３に示すように、給水部材２２は、構造躯体Ｓを覆うように設けられた壁面Ｗに形成された壁面開口Ｃの内部に位置するように、４本の六角ボルト２３により建築物の構造躯体Ｓに固定されている。
壁面開口Ｃは円形に形成され、略リング状の壁面固定部材３６及び円形のカバー３８によって覆われており、壁面Ｗの外部からは壁面開口Ｃの内部を視認できないようになっている。
【００３６】
壁面固定部材３６は、略リング状の部材であり、壁面開口Ｃを取り囲むように壁面Ｗに配置される。また、壁面固定部材３６の４隅にはねじ穴が設けられ、４本のねじ３９により壁面Ｗに固定されている。
カバー３８は、円形の平板状の部材であり、壁面固定部材３６に圧入可能に構成されている。また、カバー３８の中央には貫通穴３８ａが形成され、支持部４は貫通穴３８ａを貫通して延びている。貫通穴３８ａの寸法形状は、支持部４の横断面の寸法形状と略同一である。略同一とは、支持部４上をカバー３８に形成された貫通孔３８ａがわずかな摩擦抵抗で動かせる程度を指す。また、支持部４の断面の寸法形状は、シャワーヘッド２の寸法形状より小さい。なお、カバー３８は、壁面固定部材３６にスナップ嵌め可能に構成されていてもよい。
【００３７】
次に、図４及び図５にて給水部材２２の詳細な構造について説明する。
図４は、本発明の実施形態における給水部材を示した斜視図である。図５は、本発明の実施形態におけるオーバーヘッドシャワー装置を図３中のV−V線に沿って切断した部分断面図である。
【００３８】
図４に示すように、給水部材２２は黄銅製の鍛造品で形成されており、フィルタ２０を内部に保持可能なフィルタ保持部材４０が２つ取り付けられている。なお、給水部材の材料としては、黄銅製の鋳物等であってもよい。
また、給水部材２２は、正方形板状の板部５０と、板部５０から前方へ延びる支持部受け５２と、フィルタ２０を収容するフィルタ受部５４と、を有する。
【００３９】
板部５０は、正方形板状の部分であり、４隅にボルト穴が設けられ、ボルトにより躯体Ｓに固定される。
支持部受け５２は、板部５０の前面から板部５０に対して直交するように前方へ延び、支持部４の内側に挿入されるように形成されている。また、支持部受け５２の上面には、支持部４を固定するためのねじ穴５２ａが設けられている。さらに、支持部受け５２の内部には、支持部４の中に配置された整流用配管１６及びシャワー用配管１８を夫々接続するための２つの通水路５２ｂ、５２ｃが平行に形成されている。
【００４０】
フィルタ受部５４は、板部５０から前方へ延び、支持部受け５２の左右にそれぞれ１か所ずつ、支持部受け５２に対して傾斜するように合計２か所設けられている。これらのフィルタ受部５４の先端面には着脱口５４ａが夫々形成されている。これらの着脱口５４ａは、板部５０の背面の流入口５０ｂ、５０ｃまで夫々連通している（図５）。
【００４１】
また、図５に示すように、各着脱口５４ａは、給水部材２２の内部において、隣接する通水路５２ｂ、５２ｃと連通するように構成されている。このため、板部５０の背面の流入口５０ｂ、５０ｃから流入した水は、各フィルタ受部５４の内部を通って、支持部受け５２に形成された通水路５２ｂ、５２ｃから夫々流出する。さらに、着脱口５４ａの内面にはねじ山が形成されており、このねじ山にフィルタ保持部材４０を螺合させることでフィルタ保持部材４０を給水部材２２に取り付けることができる。
【００４２】
このように、給水部材２２には、建物内の配管から給水された水を支持部４の中に配置されている整流用配管１６及びシャワー用配管１８へ流入させるための流路が内部に形成されている。板部５０の背面の流入口５０ｂ、５０ｃから各着脱口５４ａへ延びる流路は、支持部４に対して着脱口５４ａの開口に向かうにつれて離間するように傾斜しており、流路の途中が支持部受け５２の内部に形成された通水路５２ｂ、５２ｃと夫々連通している。支持部受け５２の内部に形成された流路は壁面Ｗに対して直交するように真っすぐ支持部４の内部に形成された整流用配管１６及びシャワー用配管１８へ向かっている。
【００４３】
図４に示すように、フィルタ保持部材４０は、円柱状の本体部４４と、本体部４４の前面から延びる棒状の把持部４６と、本体部４４の背面から延びる円筒状のフィルタ保持部４８から形成されている。
把持部４６は本体部４４の前面において中心部から前方に向かってのびる棒状の部分である。
【００４４】
フィルタ保持部４８は内側にフィルタ２０を受け入れるように円筒状に形成されており、その側面には受け入れたフィルタ２０を露出させるための窓４８ａが形成されている。このように、フィルタ保持部材４０にフィルタ２０を嵌め込んで取り付けることにより、フィルタユニットが構成される。
【００４５】
フィルタ２０は、一面が開放された籠状に形成された樹脂製の網であり、フィルタ保持部４８の内側に嵌め込まれている。フィルタ２０がフィルタ保持部４８に嵌め込まれた状態では、フィルタ２０の側面がフィルタ保持部４８に設けられた窓４８ａから露出する。
【００４６】
また、図４に示すように、把持部４６の先端面には六角の溝が形成されており、六角レンチを使用して、着脱口５４ａに螺合されているフィルタ保持部材４０を、給水部材２２に着脱できるようになっている。
【００４７】
六角レンチを使用してフィルタ保持部材４０を取り付けることにより、フィルタ２０及びフィルタ保持部材４０をフィルタユニットとして、しっかりと給水部材２２に締結することができる。このため、例えば、メンテナンス者以外がフィルタ保持部材４０の把持部４６を手で回転操作したとしてもこの締結が緩み、外れることを抑制できると共に、締結が弱かったため、時間経過による緩みにより自然に外れることを抑制できる。
【００４８】
次に、図６を参照して、壁面開口Ｃ内部の給水部材２２において、フィルタ受け部５４にフィルタユニットを取り付けた状態を説明する。
図６は、本発明の実施形態のオーバーヘッドシャワー装置を図３中のVI−VI線に沿って切断した部分断面図である。
【００４９】
図６に示すように、着脱口５４ａは、壁面開口Ｃに向かって開口していると共に、支持部４に対して傾斜している。
具体的には、着脱口５４ａは壁面開口Ｃに向かうにつれて、支持部受け５２および支持部受け５２に挿入された支持部４から離間する方向に傾斜して開口している。
【００５０】
次に、本発明の実施形態によるオーバーヘッドシャワー装置１の作用を説明する。
使用者が操作ハンドル３２を操作することにより、建物内の配管から給水されてきた水は、給水部材２２の背面側の流入口５０ｂ又は５０ｃから流入し、着脱口５４ａの内部に収容されたフィルタ２０を通過し、支持部受け５２内部に形成された通水路５２ｂ又は５２ｃへ流入する。なお、使用者が操作ハンドル３２により整流吐水を選択した場合には、流入口５０ｂから通水路５２ｂを通って整流用配管１６に流入し、シャワーヘッド２の整流吐水口１０から吐水が行われる。使用者がシャワー吐水を選択した場合には、流入口５０ｃから通水路５２ｃを通ってシャワー用配管１８に流入し、シャワー吐水口１２から吐水が行われる。
【００５１】
本発明の実施形態のオーバーヘッドシャワー装置１によれば、フィルタ２０をフィルタ収納部である給水部材２２から着脱する際に、シャワーヘッド２を支持部４から取り外したり、シャワーヘッド２自体を分解したりする必要がない。このため、シャワーヘッド２を分解した際の部品やシャワーヘッド２自体の落下を抑制することができ、より安全にフィルタ２０の掃除を行うことができる。
【００５２】
また、本実施形態のオーバーヘッドシャワー装置１によれば、フィルタ２０を収納している給水部材２２が、壁面Ｗに形成された壁面開口Ｃの内部に設けられているため（図３）、給水部材２２が壁面Ｗの外部に露出しておらず使用者の視野に入りづらいとともに、給水部材２２を隠ぺいするために壁面Ｗの外部に突出したケースなどを設ける必要がなく、意匠性が向上する。また、給水部材２２が、壁面に形成された壁面開口Ｃの内部に設けられているため、オーバーヘッドシャワー装置１の露出部分にフィルタ２０を着脱するための開口等を設ける必要がなく、意匠性が向上する。
【００５３】
さらに、本実施形態のオーバーヘッドシャワー装置１によれば、壁面開口Ｃを覆うカバー３８を備えているので、壁面開口Ｃの内部に設けられている給水部材２２が使用者から視認できず、より意匠性を向上させることができるとともに、メンテナンス時にはカバー３８を取り外すという簡易な作業でフィルタ２０の掃除を行うことができる。
【００５４】
また、本実施形態のオーバーヘッドシャワー装置１によれば、壁面Ｗに形成された壁面開口Ｃからカバー３８を取り外した場合でも、カバー３８がシャワーヘッド２を越えて脱落することがないため（図３）、カバー３８がオーバーヘッドシャワー装置１から落下することを防止することができ、メンテナンス時の作業性が向上する。
【００５５】
さらに、本実施形態のオーバーヘッドシャワー装置１によれば、着脱口５４ａが壁面に形成された壁面開口Ｃに向かって開口しているため（図６）、壁面Ｗの内部にフィルタ２０が配置されている場合であっても、メンテナンス者が着脱口５４ａまたは着脱口５４ａに挿入されたフィルタ保持部材４０の把持部４６を視認することができ、フィルタ２０の着脱を容易に行うことができる。
【００５６】
また、本実施形態のオーバーヘッドシャワー装置１によれば、着脱口５４ａが支持部受け５２及び支持部受け５２に挿入された支持部４に対して傾斜した方向に開口しているため（図６）、壁面Ｗに形成された壁面開口Ｃが小さい場合であっても、メンテナンス者がフィルタ２０を給水部材２２から着脱する際に、支持部４への干渉を避けながら作業を行うことができ、よりフィルタ２０の着脱を容易に行うことができる。
【００５７】
さらに、本実施形態のオーバーヘッドシャワー装置１によれば、フィルタ２０がフィルタ保持部材４０に保持され、フィルタユニットを構成しているので（図４）、壁面Ｗの内部にフィルタ２０が配置されていても、フィルタ保持部材４０の把持部４６を操作することで一体的に着脱することが出来、容易にフィルタ２０の着脱を行うことができる。
【００５８】
以上、本発明の実施形態を説明したが、上述した実施形態に種々の変更を加えることができる。本発明においては、シャワーヘッド２が支持部４を介して壁面Ｗに固定され使用者の上方から吐水されるように構成されていれば良く、例えば、支持部４が天井壁に固定されていても良い。また、上述した実施形態においては、フィルタ収納部である給水部材２２には２つのフィルタ２０が収容されていたが、収納するフィルタ２０の数は、オーバーヘッドシャワー装置１の構成に合わせて任意の数に変更することができる。
【符号の説明】
【００５９】
１    オーバーヘッドシャワー装置
２    シャワーヘッド
４    支持部
６    円盤部
８    円柱部
１０    整流吐水孔
１２    シャワー吐水孔
１６    整流用配管（通水路）
１８    シャワー用配管（通水路）
２０    フィルタ
２２    給水部材（フィルタ収納部）
２３    六角ボルト
２４    通水路形成部材
２４ａ  整流用通水路
２４ｂ  シャワー用通水路
２４ｃ  接続部
２６    通水路形成板
２８    散水ノズル形成部材
３０    散水ノズル
３２    操作ハンドル
３６    壁面固定部材
３８    カバー
３８ａ  貫通孔
３９    ねじ
４０    フィルタ保持部材
４４    本体部
４６    把持部
４８    フィルタ保持部
４８ａ  窓
５０    板部
５０ｂ、５０ｃ  流入口
５２    支持部受け
５４    フィルタ受部
５４ａ  着脱口
５２ｂ、５２ｃ  通水路
Ｗ    壁面
Ｃ    壁面開口
Ｓ    躯体
【図１】
2018139697.tif 000003
【図２】
2018139697.tif 000004
【図３】
2018139697.tif 000005
【図４】
2018139697.tif 000006
【図５】
2018139697.tif 000007
【図６】
2018139697.tif 000008